(57)【特許請求の範囲】
【請求項１】
車両にしっかり接続されて、前記車両内で子供を収容するシートであって、子供が座ることが可能な支持部材（１０）と、前記子供の背部の動きを制限する背部部材（１１）と、前記子供の頭部後部の動きを制限するヘッドレスト（１２）とを備え、第１の垂直部材（１５）は前記支持部材（１０）の後部もしくは後方伸長部に接続され、第２の垂直部材（１６）は前記ヘッドレスト（１２）の後部もしくは後方伸長部に接続され、前記垂直部材（１５、１６）は相互に平行であり、前記ヘッドレスト（１２）の前記支持部材（１０）に対する相対位置を調節する調節手段は、前記背部部材（１１）に対して決定される水平軸周囲を回転可能な回転部材（１９）を備え、前記回転部材（１９）は先端において前記支持部材（１０）の範囲内もしくは後方に前記支持部材（１０）から横方向へ突出する把持部（２７、２８）、および前記把持部（２７、２８）間において突出する戻り止め（２１、２２）を有し、前記戻り止め（２１、２２）は前記第１および第２の垂直部材（１５、１６）に同一のピッチで設けられる対向する溝（１５ａ、１６ａ）に咬合するよう配置され、前記垂直部材（１５、１６）は互いに対して弾性的に結合されており、前記配置により、前記回転部材（１９）が前記把持部（２７、２８）により回転されると前記回転部材（１９）の回転により前記垂直部材（１５、１６）がまず分離し、その後再度結合して、前記背部部材（１１）を前記溝（１５ａ、１６ａ）の前記ピッチだけ上昇させ、前記ヘッドレスト（１２）を前記溝（１５ａ、１６ａ）の前記ピッチの２倍だけ上昇させることを特徴とする、シート。
【請求項２】
前記回転部材（１９）は、平行に離して配置され、前記垂直部材（１５、１６）に設けられる前記溝（１５ａ、１６ａ）に咬合するよう配置される前記戻り止め（２１、２２）を備える柱部材（２３、２４）を有するフレームを含むことを特徴とする、請求項１に記載のシート。
【請求項３】
前記垂直部材（１５、１６）は前記回転部材（１９）の先端間において中央に配置されることを特徴とする、請求項２に記載のシート。
【請求項４】
１対の垂直部材（１５、１６）は前記回転部材（１９）における前記戻り止め（２１、２２）のどちら側に配置されてもよいことを特徴とする、請求項２に記載のシート。
【請求項５】
前記回転部材（１９）の前記先端に設けられる前記把持部（２７、２８）はハンドグリップであることを特徴とする、請求項１〜請求項４のいずれか１項に記載のシート。
【請求項６】
前記回転部材（１９）の前記先端に設けられる前記把持部（２７、２８）は、挿入される手段を収容して前記回転部材（１９）の回転を実行するキー溝であることを特徴とする、請求項１〜請求項５のいずれか１項に記載のシート。
【請求項７】
前記戻り止め（２１、２２）は前記溝（１５ａ、１６ａ）の前記ピッチと同一の距離だけ離して配置され、前記溝（１５ａ、１６ａ）は前記垂直部材（１５、１６）を分離させることなく前記戻り止め（２１、２２）を収容可能な深さを有し、これにより前記把持部（２７、２８）の回転により前記背部部材（１１）を前記溝（１５ａ、１６ａ）の前記ピッチだけ上昇させ、前記ヘッドレスト（１２）を前記溝（１５ａ、１６ａ）の前記ピッチの２倍だけ上昇させることを特徴とする、請求項１〜請求項６のいずれか１項に記載のシート。
【請求項８】
前記シートに座っている子供の前面に沿って配置され、前記車両シートの側部もしくは前記車両ボディの所定の位置にしっかりと固定される固定用ストラップもしくはベルトを更に備える、請求項１〜請求項７のいずれか１項に記載のシート。
【請求項９】
前記シートは従来の前方に向けて配置される大人用の車両シートにしっかり接続されることを特徴とする、請求項１〜請求項８のいずれか１項に記載のシート。
【発明の詳細な説明】
【技術分野】
【０００１】
本発明は、車両内に固定するチャイルドシートに関する。
【背景技術】
【０００２】
様々な種類のチャイルドシートが公知である。なかには、シートの構成を成長する子供の寸法に合わせて長期間にわたって変更できるよう特に設計したものがある。子供の成長に対しては、一般的には、頭部サポート部がシートに対して必要とする高さは、背部サポート部がシートに対して必要とする高さの２倍の割合で増加すると考えられる。
【０００３】
例えば特許文献１はヘッドレストを備えるチャイルドシートを開示しており、当該ヘッドレストをシートの他の部分に対して上昇させる構成を有する。
【０００４】
特許文献２は、ヘッドレストをシートの他の部分に対して上方へ引くことにより調節する手段を有するチャイルドシートを開示している。当該ヘッドレストは、ラチェット機構を介してシートの背部に接続される垂直部材により支持される。これにより、調節する際、当該ヘッドレストをシートの基台に対してシートの背もたれ部より高く上昇させることが可能である。シートの拡張は、ヘッドレストを上方へ引くことにより行われる。
【０００５】
特許文献３は、刻み付の手動輪により駆動される二重ラックアンドピニオン機構により調節する手段を有するチャイルドシートを開示している。このラックアンドピニオン機構により、ヘッドレストを背もたれの２倍の速さでシートの基台に対して上昇させる。
【先行技術文献】
【特許文献】
【０００６】
【特許文献１】欧州特許公開公報０，７５１，０３３号
【特許文献２】ＰＣＴ国際出願公開公報２００４／０００６０２号
【特許文献３】米国特許公報６，４４７，０６２号
【発明の概要】
【課題を解決するための手段】
【０００７】
本発明は、車両、例えば従来の前方に向けて配置される大人用の車両シートにしっかり接続されて、前記車両内で子供を収容するシートであって、子供が座ることが可能な支持部材と、前記子供の背部の動きを制限する背部部材と、前記子供の頭部後部の動きを制限するヘッドレストとを備え、第１の垂直部材は前記支持部材の後部［もしくは後方伸長部］に接続され、第２の垂直部材は前記ヘッドレストの後部［もしくは後方伸長部］に接続され、前記垂直部材は相互に平行であり、前記ヘッドレストの前記支持部材に対する相対位置を調節する調節手段は、前記背部部材に対して決定される水平軸周囲を回転可能な回転部材を備え、前記回転部材は先端において前記支持部材の範囲内もしくは後方に前記支持部材から横方向へ突出する把持部、および前記把持部間において突出する戻り止めを有し、前記戻り止めは前記第１および第２の垂直部材に同一のピッチで設けられる対向する溝に咬合するよう配置され、前記垂直部材は互いに対して弾性的に結合されており、この配置により、前記回転部材が前記把持部により回転されると、前記回転部材の回転により前記垂直部材がまず分離し、その後再度結合して、前記背部部材を前記溝の前記ピッチだけ上昇させ、前記ヘッドレストは前記溝の前記ピッチの２倍だけ上昇させるシートを提供する。
【０００８】
ある形態において、好ましくは、前記回転部材は、平行に離して配置され、前記垂直部材に設けられる前記溝に咬合するよう配置される前記戻り止めを備える柱部材を有するフレームを含む。
【０００９】
上記の形態において、前記垂直部材は前記回転部材の先端間において中央に配置されてもよい。もしくは、１対の垂直部材は前記回転部材における前記戻り止めのどちら側に配置されてもよい。
【００１０】
他の形態において、好ましくは、前記回転部材は、先端が前記垂直部材に設けられる前記溝に咬合するよう配置されるプレートを含む。
【００１１】
前記回転部材の前記先端に設けられる前記把持部は好ましくはハンドグリップであるが、前記回転部材の前記先端に設けられる前記把持部は、挿入される手段を収容して前記回転部材の回転を実行するキー溝であってもよい。
【００１２】
前記戻り止めの間隔は前記溝の間隔には依存せず、前記垂直部材は互いに対して弾性的に結合されており、これにより前記把持部の回転により前記垂直部材がまず分離し、その後再度結合して、前記背部部材を前記溝の前記ピッチだけ上昇させ、前記ヘッドレストを前記溝の前記ピッチの２倍だけ上昇させる。
【００１３】
他の好ましい形態において、前記戻り止めは前記溝の前記ピッチと同一の距離だけ離して配置され、前記溝は前記垂直部材を分離させることなく前記戻り止めを収容可能な深さを有し、これにより前記把持部の回転により前記背部部材を前記溝の前記ピッチだけ上昇させ、前記ヘッドレストを前記溝の前記ピッチの２倍だけ上昇させる。
【００１４】
一般的に好ましくは、前記シートは、前記シートに座っている子供の前面に沿って配置され、前記車両シートの側部もしくは前記車両ボディの所定の位置にしっかりと固定される固定用ストラップもしくはベルトを更に備える。
【００１５】
本明細書において「垂直」および「水平」という用語は、チャイルドシートが設置される車両内における設置状態に関する。一般的に、子供が後方に向かってやや寄り掛かり、シートから飛び出さないと安心できるようシートは傾けて配置される。多くの地域の現在の法律の下では子供をシートにしっかり固定することが義務であり、固定用ベルトもしくはストラップを所定の位置に配置して子供をシートにしっかり固定する。
【００１６】
以下に、添付の図面を参照して、本発明による２つの詳細な実施例を例示として説明する。
【図面の簡単な説明】
【００１７】
【図１】図１は、使用可能な構成にあるシートの斜視図である。
【図２】図２は、構成部材の相対運動を示す斜視図である。
【図３】図３は、他のシートの背もたれの平面図である。
【図４】図４は、図３に示すシートの機構の断面図である。
【発明を実施するための形態】
【００１８】
（本発明による第１の実施例を示す）図１に示すように、チャイルドシートは、子供が座ることが可能な支持部材１０、子供の背部の後方への動きを制限する背部部材１１、および子供の頭部の後方への動きを制限するヘッドレスト１２を備える。
【００１９】
前記支持部材１０からは、後方に伸長するアーム１４が後方に突出している。前記アーム１４は、第１の垂直部材１５に接続される。前記ヘッドレスト１２の後方からは第２の垂直部材１６が下方に伸長する。
【００２０】
前記垂直部材１５および１６は（図示しない手段により）弾性的に結合し、対応する溝１５ａおよび１６ａ（図２に、より分かりやすく示す）を有する。前記垂直部材１５および１６が相互に隣接すると、前記溝１５ａおよび１６ａが相互に隣接して配置され、略円形の開口部を形成する。前記溝１５ａおよび１６ａは、それぞれ前記垂直部材１５および１６に沿って一定のピッチ（相互からの距離）で設定される。
【００２１】
前記背部部材１１は、後方に伸長し、それぞれがトラニオン（それぞれ１７ａおよび１８ａ）を支持する２個のアーム１７および１８を有する。
【００２２】
本発明は回転部材１９を備え、前記回転部材１９は前記トラニオン１７ａおよび１８ａにより制御され、前記トラニオンにより規定される水平軸の周囲を回転運動する。前記回転部材は、前記水平軸に対して平行で等距離となるよう離して配置される柱部材２１および２２を有する。前記柱部材２１および２２は、前記溝１５ａおよび１６ａに咬合する戻り止めを形成する。前記柱部材２１および２２は、前記垂直部材１５および１６に設けられる前記溝１５ａおよび１６ａの前記ピッチで相互から離して配置される。前記柱部材２１および２２は、前記トラニオン１７ａおよび１８ａ内で回転可能な主軸２５および２６にスペーサ部材２３および２４を介して接続される。前記主軸２５および２６の先端には、前記回転部材１９を回転可能な把持部２７および２８が設けられる。
【００２３】
図１は、前記垂直部材１５および１６が締着され、これにより前記略円形の開口部が前記回転部材１９の前記柱部材２１および２２周囲を囲んでいる状態を示す。この構成において、前記シートは車両内において子供を収容可能な状態にある。
【００２４】
最初にシートを入手した際、子供の大きさがシートに固定する対象の最小の大きさであったと仮定すると、子供の成長によりシートを拡張する必要がでてくる。
【００２５】
図２は、前記背部部材１１およびヘッドレスト１２を前記支持部材１０から上昇させてシートの拡張を行う方法を示す。前記把持部２７および２８が回転すると、前記垂直部材１５および１６は前記垂直部材１５および１６を結合する弾性力に逆らって分離される。（把持部２７の回転矢印を参照。）前記把持部２７および２８が引続き回転すると、前記柱部材２２は前記柱部材２１周囲を回転する。したがって、前記柱部材２２は前記第２の垂直部材１６先端の前記ヘッドレスト１２を前記溝１５ａおよび１６ａ間の距離の２倍だけ上昇させる。同時に、（スペーサ柱部材２１および２２、スペーサ部材２３および２４、主軸２５および２６、および把持部２７および２８の集合体を備える）前記回転部材１９は、前記溝１５ａおよび１６ａ間と同じ距離だけ上昇する。したがって、前記柱部材２１は前記柱部材２２が上昇する距離の半分だけ上昇する。
【００２６】
これにより、子供用の前記ヘッドレスト１２は子供用の前記背部サポート１１の２倍の距離だけ上昇する。
【００２７】
図３および図４は、本発明の第２の実施例を示す。図１に示すように、チャイルドシートの前記垂直部は基台（図示せず）に接続される部分１００、およびヘッドレスト（図示せず）に接続される部分１０２を有する。前記部分１００は第１の垂直部材１１５に接続され、および前記部分１０２は第２の垂直部材１１６に接続される。前記垂直部材１１５および１１６は、相互に対して相対的な垂直運動を行うよう構成される。
【００２８】
前記垂直部材１１５および１１６は、シートの背部を前記垂直部材間で効果的に規定する。
【００２９】
図４により詳細に示すとおり、前記垂直部材１１５は溝１１５ａを有し、前記垂直部材１１６は溝１１６ａを有する。前記溝は同一の寸法を有し、前記溝の深さは前記溝間の「ピッチ」もしくは距離に対応する。前記垂直部材に設けられる前記溝１１５ａおよび１１６ａの水平方向への広がりは図３における引出線により示す。
【００３０】
（図示しないが、図１および図２における１９に対応する）回転部材は、前記水平軸に平行および等距離となるよう離して配置される柱部材１２１および１２２を有する。前記柱部材１２１および１２２は前記回転部材の軸周囲を回転し、また前記溝１１５ａおよび１１６ａ内に交互に咬合する。
【００３１】
前記回転部材の回転、すなわち前記柱部材１２１および１２２の回転により、前記柱部材が前記溝１１５ａおよび１１６ａに咬合して前記垂直部材１１６を垂直部材１１５に対して垂直に移動し、垂直部材１１５は元の標準高度のままに保持される。前記回転部材が回転すると、前記回転部材の軸は前記溝の前記ピッチだけ上昇し、前記部材１１６に結合される前記ヘッドレストは前記溝の前記ピッチの２倍だけ上昇する。
【００３２】
前記回転部材および柱部材１２１および１２２は、前記チャイルドシートの背部に接続される。これにより、子供用の前記ヘッドレストは前記チャイルドシートの背部が上昇する距離の２倍の距離だけ上昇する。
【図１】
0005392789.tif 000002
【図２】
0005392789.tif 000003
【図３】
0005392789.tif 000004
【図４】
0005392789.tif 000005